(57)【要約】【課題】監視対象において発生したイベント及びその前後のイベントを、時系列に並んだ多くのイベントの中から容易に取得できるようにした監視制御システムを得る。【解決手段】監視対象３ａ，３ｂからイベント発生の情報信号を収集してＬＡＮ４を介してＨＭＩ１へ送信する端末装置２を備え、ＨＭＩ１は、監視対象３ａ，３ｂをシンボルで監視画面に表示し、発生したイベントの内容と監視対象名を対応付け、ＩＤコードを付加してテーブルに登録し、かつ、イベントの内容及び監視対象名を時系列でイベントリスト画面に表示し、イベント発生のシンボルの状態を変化させ、状態変化のシンボルが選択されると、選択されたシンボルの監視対象のイベントをテーブルから取得し、取得した監視対象のイベントをＩＤコードを検索キーとしてイベントリスト画面から検索し、検索イベント及びその前後のイベントをイベントリスト画面上の最上部に表示するようにした。【選択図】図１
2007334711.tif 000002
【特許請求の範囲】
【請求項１】
複数の監視対象からのイベント発生の情報信号を収集してネットワークを介して送信する端末装置、
上記複数の監視対象をシンボルで監視画面に表示し、上記イベントの内容及び監視対象名を時系列でイベントリスト画面に表示し、選択手段によって上記シンボルを選択すると、選択したシンボルのイベントの内容及び監視対象名を表示画面に表示するヒューマン  マシン  インターフェイスを備えた監視制御システムにおいて、
上記ヒューマン  マシン  インターフェイスは、
上記監視対象名とその監視対象で発生したイベントの内容とを対応付けるテーブルを生成する機能を備え、
上記イベント発生の情報信号及び付加されたＩＤコードを上記端末装置から受信し、上記イベント発生の情報信号の内容を及び付加されたＩＤコードを上記テーブルに登録するとともに、上記イベントリスト画面に加え、上記イベントが発生した監視対象のシンボルの状態を変化させ、
上記状態が変化したシンボルが上記選択手段で選択されると、選択されたシンボルに対応する監視対象のイベントを上記テーブルから取得し、
上記ＩＤコードを検索キーとして、上記テーブルから取得した監視対象のイベントと同一のイベントを上記イベントリスト画面から検索し、
上記検索したイベント及びその前後のイベントを上記イベントリスト画面上の最上部に表示することを特徴とする監視制御システム。
【請求項２】
上記検索したイベントを強調表示することを特徴とする請求項１記載の監視制御システム。
【請求項３】
複数の監視対象からのイベント発生の情報信号を収集してネットワークを介して送信する端末装置、
上記複数の監視対象をシンボルで監視画面に表示し、上記イベントの内容及び監視対象名を時系列でイベントリスト画面に表示し、選択手段によって上記シンボルを選択すると、選択したシンボルのイベントの内容及び監視対象名を表示画面に表示するヒューマン  マシン  インターフェイスを備えた監視制御システムにおいて、
上記ヒューマン  マシン  インターフェイスは、
上記監視対象名とその監視対象で発生したイベントの内容とを対応付けるテーブルを生成する機能を備え、
上記イベント発生の情報信号及び付加されたＩＤコードを上記端末装置から受信し、上記イベント発生の情報信号の内容を及び付加されたＩＤコードを上記テーブルに登録するとともに、上記イベントリスト画面に加え、上記イベントが発生した監視対象のシンボルの状態を変化させ、
上記状態が変化したシンボルが上記選択手段で選択されると、選択されたシンボルに対応する監視対象のイベントを上記テーブルから取得し、
上記ＩＤコードを検索キーとして、上記テーブルから取得した監視対象のイベントと同一のイベントを上記イベントリスト画面から検索し、
上記検索したイベント及びその前後のイベントを上記イベントリスト画面上に強調表示することを特徴とする監視制御システム。
【発明の詳細な説明】
【技術分野】
【０００１】
この発明は、複数の開閉器が設置された変電所等、複数の監視対象が存在するプラント等に設置され、監視対象で発生する故障等のイベントをＨＭＩ（ヒューマン  マシン  インターフェイス）上に表示する監視制御システムに関するものである。
【背景技術】
【０００２】
従来の監視制御システムは、開閉器等の監視対象の状態を表示するＨＭＩ、監視対象からの信号を収集してＨＭＩへ送信する端末装置、端末装置からＨＭＩへ信号を送信するためのＬＡＮ（Ｌｏｃａｌ  Ａｒｅａ  Ｎｅｔｗｏｒｋ）を備えている。ＨＭＩは一般的なパーソナルコンピュータやワークステーションに、端末装置からの信号を受信する機能や、画面の表示を行う機能を持つソフトウェアを組み込んだものである。
【０００３】
一般に、監視対象は多数あり、ＨＭＩ上には、監視対象の状態をシンボルの形状を色替えや点滅等により変化させることにって表示する監視画面、及び監視対象で発生した故障等のイベントやシステム内部で発生した故障等のイベントを時系列のメッセージとして表示するイベントリスト画面がある。
【０００４】
監視画面及びイベントリスト画面は、操作員の操作によって任意にＨＭＩ上に表示及び消去することができる。
【０００５】
監視対象で発生したイベントは端末装置によって収集され、ＬＡＮを通してＨＭＩに通知される。ＨＭＩはイベントを受信すると、シンボルの形状を色替えや点滅等により変化させ、イベントの内容及び発生時刻をイベントリスト画面に追加する。
【０００６】
以上のようなシステムにより、プラント等の操作員は、監視対象にイベントが発生した際に、まず、シンボルの形状の変化により監視対象に何らかのイベントが発生したことに気付き、そのイベントの発生時刻等の詳細はイベントリスト画面を確認することによって把握する。
【０００７】
また、同時に、イベントリスト画面シンボルの形状を変化させる要因となったイベントの前後に発生したイベントをイベントリスト画面により確認することによってプラント内に発生した現象を把握して、その現象への対処方法を決定している。
【０００８】
監視対象で発生したイベントの詳細を把握する方法として、イベントリスト画面を検索する方法の他に、例えば、特許文献１に記載されているように、シンボルをマウスクリック等で選択すると、そのシンボルによって表される監視対象上で発生したイベントの内容がＨＭＩ上に表示されるようにしたものがある。
【０００９】
【特許文献１】特開平１−２８０８９８号公報（第２−第４頁、第１−第３図）
【発明の開示】
【発明が解決しようとする課題】
【００１０】
監視対象システムでは、監視対象においてあるイベントが発生した後に長時間経過すると、そのイベントが発生した後に、他の多くのイベントがイベントリスト画面の最上部または最下部に追加される。
【００１１】
このような多くのイベントの中から検索式をたてるなどの方法で検索する場合には、検索式をたてる手間を要するという問題がある。
【００１２】
また、シンボルをマウスクリック等で選択することによって、イベントの内容をＨＭＩ上に表示するシステムでは、イベントの内容のみＨＭＩ上の窓に表示されるために、窓に表示されたイベントの前後に発生した多くのイベントの中から表示されたイベントの前後に発生したイベントを探す手間が生じるという問題がある。
【００１３】
この発明は上記のような問題を解決するためになされたものであり、いずれかの監視対象において、あるイベントが発生した後、長時間経過してさらに他の多くのイベントが発生した場合に、その監視対象において発生したイベント及びその前後のイベントを、時系列に並んだ多くのイベントの中から容易に取得できるようにした監視制御システムを得ることを目的とする。
【課題を解決するための手段】
【００１４】
この発明に係る監視制御システムは、複数の監視対象からのイベント発生の情報信号を収集してネットワークを介して送信する端末装置、
上記複数の監視対象をシンボルで監視画面に表示し、上記イベントの内容及び監視対象名を時系列でイベントリスト画面に表示し、選択手段によって上記シンボルを選択すると、選択したシンボルのイベントの内容及び監視対象名を表示画面に表示するヒューマン  マシン  インターフェイスを備えた監視制御システムにおいて、
上記ヒューマン  マシン  インターフェイスは、
上記監視対象名とその監視対象で発生したイベントの内容とを対応付けるテーブルを生成する機能を備え、
上記イベント発生の情報信号及び付加されたＩＤコードを上記端末装置から受信し、上記イベント発生の情報信号の内容を及び付加されたＩＤコードを上記テーブルに登録するとともに、上記イベントリスト画面に加え、上記イベントが発生した監視対象のシンボルの状態を変化させ、
上記状態が変化したシンボルが上記選択手段で選択されると、選択されたシンボルに対応する監視対象のイベントを上記テーブルから取得し、
上記ＩＤコードを検索キーとして、上記テーブルから取得した監視対象のイベントと同一のイベントを上記イベントリスト画面から検索し、
上記検索したイベント及びその前後のイベントを上記イベントリスト画面上の最上部に表示するものである。
【００１５】
また、複数の監視対象からのイベント発生の情報信号を収集してネットワークを介して送信する端末装置、
上記複数の監視対象をシンボルで監視画面に表示し、上記イベントの内容及び監視対象名を時系列でイベントリスト画面に表示し、選択手段によって上記シンボルを選択すると、選択したシンボルのイベントの内容及び監視対象名を表示画面に表示するヒューマン  マシン  インターフェイスを備えた監視制御システムにおいて、
上記ヒューマン  マシン  インターフェイスは、
上記監視対象名とその監視対象で発生したイベントの内容とを対応付けるテーブルを生成する機能を備え、
上記イベント発生の情報信号及び付加されたＩＤコードを上記端末装置から受信し、上記イベント発生の情報信号の内容を及び付加されたＩＤコードを上記テーブルに登録するとともに、上記イベントリスト画面に加え、上記イベントが発生した監視対象のシンボルの状態を変化させ、
上記状態が変化したシンボルが上記選択手段で選択されると、選択されたシンボルに対応する監視対象のイベントを上記テーブルから取得し、
上記ＩＤコードを検索キーとして、上記テーブルから取得した監視対象のイベントと同一のイベントを上記イベントリスト画面から検索し、
上記検索したイベント及びその前後のイベントを上記イベントリスト画面上に強調表示するものである。
【発明の効果】
【００１６】
この発明に係る監視制御システムによれば、素早く故障等のイベントの具体的な内容を取得して対応策を決定することができる。
【発明を実施するための最良の形態】
【００１７】
以下、この発明の実施の形態を図に基づいて説明する。
実施の形態１．
図１は、この発明に係る監視制御システムの構成を示すブロック図、図２は、この実施の形態１においてＨＭＩが表示する、監視画面（ａ）、時系列に監視対象とその監視対象で発生したイベントの内容を表示するイベントリスト画面（ｂ）、監視対象とその監視対象で発生したイベントの内容を対応付けるテーブル（ｃ）を示す構成図である。
【００１８】
図１に示したように、この実施の形態１の監視制御システムは、開閉器等の監視対象３ａ、３ｂの状態を表示するＨＭＩ１、監視対象３ａ，３ｂからの情報信号を収集してＨＭＩへ送信する端末装置２、端末装置２からＨＭＩ１へ情報信号を送信するためのＬＡＮ４を備えている。ＨＭＩは一般的なパーソナルコンピュータやワークステーションに、端末装置２からの情報信号を受信する機能や、画面の表示を行う機能を持つソフトウェアを組み込んだものである。
【００１９】
この実施の形態１においては、ＨＭＩ１は、図２（ａ）に示したように、監視対象３ａ，３ｂをそれぞれシンボル６ａ，６ｂで監視画面５に表示し、図２（ｂ）に示したように、監視対象で発生した故障等のイベントの内容やシステム内部で発生した故障等のイベントの内容を時系列のメッセージとしてイベントリスト画面７表示し、図２（ｃ）に示したように、監視対象とその監視対象で発生したイベントの内容を対応付けるテーブル８を生成する機能を備えている。
図１では、２つの監視対象３ａ，３ｂの場合を示しているが、一般的には監視対象はさらに多数となる。
【００２０】
図３は、端末装置２の動作を示すフローチャート、図４は、ＨＭＩ１が端末２から信号を受信したときの動作を示すフローチャート、図５は、図４の動作進行を示す模式図、図６は、ＨＭＩ１において操作員が状態変化したシンボルをマウスクリックにより選択したときの動作を示すフローチャート、図７は、図６の動作進行を示す模式図である。
【００２１】
図３〜図７に基づき、動作を説明する。ここでは、一例として、監視対象３ｂにおいて故障２という故障が発生した場合を想定する。
図３に示したように、監視対象３ｂにおいて故障２が発生すると、監視対象３ｂは、自己が持つ接点をオンにするなどにより、故障２の情報信号を端末装置２に送信する。端末装置２は、監視対象３ａ，３ｂからの情報信号送信の有無を常時走査しており（ステップ１０１，１０２）、情報信号があった場合には、その時点での時刻をタイムスタンプとして情報信号に付加してＨＭＩ１に送信する（ステップ１０３）。ＨＭＩ１に送信する信号は、監視対象３ｂの故障２に付けられたＩＤコード、発生または復帰の方向、及び発生時刻の情報を含んだパケットとなる。
【００２２】
図４に示したように、ＨＭＩ１は、端末装置２からパケットを受信すると（ステップ１１１）、シンボル６ｂの状態を故障状態を表す状態に変化させる。故障状態を表す状態は、シンボル６ｂの色を変える、点滅させるなど種々の方法をとり得る（図５（ａ）参照）。続いて、受信したパケットに含まれる情報からイベントの内容を生成する（ステップ１１３）。続いて、テーブル８の監視対象３ｂに対応する行の要因イベント欄（図５（ｂ）参照）に、生成したイベントの内容を登録する（ステップ１１４）。続いて、生成したイベントの内容をイベントリスト画面７に追加する（ステップ１１５、図５（ｃ）参照）。
【００２３】
図６に示したように、操作員は、監視画面５を確認し、シンボル６ｂの状態が故障を表す状態になっていることを発見すると、シンボル６ｂをマウスクリック等の選択手段で選択する（ステップ１２１、図７（ａ）参照）。ＨＭＩ１は、テーブル８を参照して、クリックされたシンボル６ｂに対応する監視対象３ｂのイベントの内容を取得する（ステップ１２２、図７（ｂ）参照）。この例では「故障２  発生」が要因イベントに登録されている。続いて、ＨＭＩ１は、イベントリスト画面７の中から取得した監視対象３ｂのイベントを検索する（図７（ｃ）参照）。検索の方法としては、例えば、上述の生成したイベントに対して振り付けたＩＤコードを検索キーにして検索する方法とする。続いて、ＨＭＩ１は、検索したイベント及びその前後に発生したイベントがイベントリスト画面７の最上部にくるように、リストをスクロールした上で、イベントリスト画面７を表示する（ステップ１２４、図７（ｄ）参照）。
【００２４】
以上のように、この実施の形態１においては、ＨＭＩ１の監視画面５に表示されているシンボルの形状が故障などの状態になっているものを選択することにより、選択したシンボルに対応する監視対象のイベントの内容及びこの監視対象のイベントの前後に発生した監視対象のイベントの内容が、イベントリスト画面７の最上部に自動的に表示されるので、素早く故障等のイベントの具体的な内容を取得して対応策を決定することができる。
【００２５】
実施の形態２．
図８は、この実施の形態２におけるＨＭＩ１上の表示画面を示す構成図であり、この実施の形態２では、図８（ｃ）に示したように、選択したシンボルに対応する監視対象のイベントの内容がイベントリスト画面７で色が変わるなどによって強調表示される。
【００２６】
上記実施の形態１では、選択したシンボルに対応する監視対象の要因イベント及びこの監視対象の要因イベントの前後に発生した監視対象の要因イベントが、イベントリスト画面７の最上部に自動的に表示されるようにしたが、この実施の形態２のように、選択したシンボルに対応する監視対象のイベントの内容をイベントリスト画面７で強調表示することにより、イベントリスト画面７を手動でスクロールして、素早く故障等の具体的な内容を取得して対応策を決定することができる。
【００２７】
実施の形態３．
上記実施の形態１において、上記実施の形態２と同様に、選択したシンボルに対応する監視対象のイベントの内容がイベントリスト画面７で強調表示されるようにすることにより、操作員が対象のイベントをより取得しやすくなる。
【００２８】
なお、上記実施の形態では、多数の監視対象がある変電所等の監視制御システムの場合を例に説明したが、この発明は、建造物の監視制御システム等、監視対象が幾つかの領域に分かれているような場合にも適用することができ、この場合、各領域が監視対象を表すシンボルに相当するものとなる。
【産業上の利用可能性】
【００２９】
本発明は、複数の開閉器が接地された変電所等、複数の監視対象が存在するプラント等に有効に利用することができる。
【図面の簡単な説明】
【００３０】
【図１】この発明に係る監視制御システムの構成を示すブロック図である。
【図２】実施の形態１においてＨＭＩが表示する画面を示す構成図である。
【図３】端末装置の動作を示すフローチャートである。
【図４】ＨＭＩが端末から信号を受信したときの動作を示すフローチャートである。
【図５】図４の動作進行を示す模式図である。
【図６】ＨＭＩにおいて操作員が形状変化したシンボルをマウスクリックにより選択したときの動作を示すフローチャートである。
【図７】図６の動作進行を示す模式図である。
【図８】実施の形態２におけるＨＭＩ上の表示画面を示す構成図である。
【符号の説明】
【００３１】
１  ＨＭＩ、２  端末装置、３ａ，３ｂ  監視対象、４  ＬＡＮ、５  監視画面、
６ａ，６ｂ  シンボル、７  イベントリスト画面、８  テーブル。
【図１】
2007334711.tif 000003
【図２】
2007334711.tif 000004
【図３】
2007334711.tif 000005
【図４】
2007334711.tif 000006
【図５】
2007334711.tif 000007
【図６】
2007334711.tif 000008
【図７】
2007334711.tif 000009
【図８】
2007334711.tif 000010